(57)【要約】【課題】接触検知可能な表示部に表示された仮想キーを用いた情報の入力時に、誤入力を防止できるよう仮想キーの表示を制御する表示制御装置を提供すること。【解決手段】接触検知可能な表示部に表示された仮想キーの表示を制御する表示制御装置は、表示部上の外部操作手段による接触位置を検出する接触位置検出部と、接触位置に基づいて所定の領域を決定し、所定の領域に重なる仮想キーを候補キーとして選択する候補キー選択部と、外部操作手段による表示部上の接触領域の縦又は横の長さを測定する接触サイズ測定部と、接触サイズ測定部によって測定された接触領域の縦又は横の長さ以上の縦方向又は横方向の間隔をあけて候補キーを表示するよう表示部を制御する表示制御部とを備える。【選択図】図１
2010186254.tif 000002
【特許請求の範囲】
【請求項１】
接触検知可能な表示部に表示された仮想キーの表示を制御する表示制御装置であって、
前記表示部上の外部操作手段による接触位置を検出する接触位置検出部と、
前記接触位置に基づいて所定の領域を決定し、前記所定の領域に重なる仮想キーを候補キーとして選択する候補キー選択部と、
前記外部操作手段による前記表示部上の接触領域の縦又は横の長さを測定する接触サイズ測定部と、
前記接触サイズ測定部によって測定された前記接触領域の縦又は横の長さ以上の縦方向又は横方向の間隔をあけて前記候補キーを表示するよう前記表示部を制御する表示制御部と、
を備えた表示制御装置。
【請求項２】
請求項１に記載の表示制御装置であって、
前記外部操作手段による前記表示部との連続接触時間を計測する接触時間計測部を備え、
前記表示制御部は、前記接触時間計測部によって計測された連続接触時間に応じて、前記候補キーの大きさを拡大して表示するよう前記表示部を制御することを特徴とする表示制御装置。
【請求項３】
請求項１又は２に記載の表示制御装置であって、
前記外部操作手段による前記表示部との接触時間にわたり、前記接触サイズ測定部によって測定された前記接触領域の縦又は横の長さの情報を記憶する第１の記憶部を備え、
前記表示制御部は、前記第１の記憶部が記憶する情報の内、前記接触領域の縦又は横の長さの最大値以上の縦方向又は横方向の間隔をあけて前記候補キーを表示するよう前記表示部を制御することを特徴とする表示制御装置。
【請求項４】
請求項１又は２に記載の表示制御装置であって、
前記外部操作手段による前記表示部との接触時間にわたり、前記接触位置検出部によって検出された前記接触位置及び前記接触サイズ測定部によって測定された前記接触領域の縦又は横の長さの情報を記憶する第２の記憶部を備え、
前記表示制御部は、前記第２の記憶部が記憶する接触位置及び接触領域に基づいて得られる合成接触領域の縦又は横の長さを測定し、当該合成接触領域の縦又は横の長さ以上の縦方向又は横方向の間隔をあけて前記候補キーを表示することを特徴とする表示制御装置。
【請求項５】
請求項１〜４のいずれか一項に記載の表示制御装置であって、
前記候補キー選択部は、前記所定の領域に含まれる仮想キーを前記候補キーとして選択することを特徴とする表示制御装置。
【発明の詳細な説明】
【技術分野】
【０００１】
本発明は、接触検知可能な表示部に表示された仮想キーの表示を制御する表示制御装置に関する。
【背景技術】
【０００２】
図１３は、特許文献１に記載の表示制御装置による、表示装置に表示するボタンの配置変更例を示す図である。特許文献１の表示制御装置は、タッチパネルに表示された押圧面積検出画面に操作者の指が押圧されると、押圧面積検出手段が押圧面積を検出して、この情報を配置情報格納部に登録する。また、表示制御装置は、表示装置にボタンを表示する際に、配置情報格納部に登録された情報に基づいてボタンの大きさ及び隣り合うボタンの間隔を決定する。表示制御装置は、図１３に示すように、決定したボタンの大きさ及び隣り合うボタンの間隔に基づいて表示装置にボタンを表示する。
【０００３】
図１４は、特許文献２に記載の情報端末装置による、タッチパネルに表示するキーとその拡大表示例を示す図である。特許文献２の情報端末装置は、ユーザがタッチパネルを押下したとき、図１４に示すように、ユーザが指で押下したキーを含む所定の範囲を拡大表示する。
【０００４】
【特許文献１】特開２００６−２６８３１３号公報
【特許文献２】特開２００２−９１６７７号公報
【発明の開示】
【発明が解決しようとする課題】
【０００５】
特許文献１の表示制御装置によれば、図１３に示したように、表示装置に表示されるべき全てのボタンが拡大表示され、かつ、ボタンの間隔も縦横一様に拡げられる。このため、表示装置の表示面積によっては、表示されるべきボタンの数が多いと、拡大表示後のボタンの全てを表示装置に表示できないといった状況が生じ得る。
【０００６】
また、特許文献２の情報端末装置によれば、図１４に示したように、拡大表示されたキーとキーの間には間隔が設けられない。したがって、拡大表示された所望のキーをユーザが押下する際に、当該所望のキーに隣接するキーまでも押下してしまう状況が生じ得る。このために誤入力が発生すると、ユーザは当該誤入力を訂正するための操作を行わなくてはならない。
【０００７】
本発明の目的は、接触検知可能な表示部に表示された仮想キーを用いた情報の入力時に、誤入力を防止できるよう仮想キーの表示を制御する表示制御装置を提供することである。
【課題を解決するための手段】
【０００８】
本発明は、接触検知可能な表示部に表示された仮想キーの表示を制御する表示制御装置であって、前記表示部上の外部操作手段による接触位置を検出する接触位置検出部と、前記接触位置に基づいて所定の領域を決定し、前記所定の領域に重なる仮想キーを候補キーとして選択する候補キー選択部と、前記外部操作手段による前記表示部上の接触領域の縦又は横の長さを測定する接触サイズ測定部と、前記接触サイズ測定部によって測定された前記接触領域の縦又は横の長さ以上の縦方向又は横方向の間隔をあけて前記候補キーを表示するよう前記表示部を制御する表示制御部と、を備えた表示制御装置を提供する。
【０００９】
上記表示制御装置は、前記外部操作手段による前記表示部との連続接触時間を計測する接触時間計測部を備え、前記表示制御部は、前記接触時間計測部によって計測された連続接触時間に応じて、前記候補キーの大きさを拡大して表示するよう前記表示部を制御する。
【００１０】
上記表示制御装置は、前記外部操作手段による前記表示部との接触時間にわたり、前記接触サイズ測定部によって測定された前記接触領域の縦又は横の長さの情報を記憶する第１の記憶部を備え、前記表示制御部は、前記第１の記憶部が記憶する情報の内、前記接触領域の縦又は横の長さの最大値以上の縦方向又は横方向の間隔をあけて前記候補キーを表示するよう前記表示部を制御する。
【００１１】
上記表示制御装置は、前記外部操作手段による前記表示部との接触時間にわたり、前記接触位置検出部によって検出された前記接触位置及び前記接触サイズ測定部によって測定された前記接触領域の縦又は横の長さの情報を記憶する第２の記憶部を備え、前記表示制御部は、前記第２の記憶部が記憶する接触位置及び接触領域に基づいて得られる合成接触領域の縦又は横の長さを測定し、当該合成接触領域の縦又は横の長さ以上の縦方向又は横方向の間隔をあけて前記候補キーを表示する。
【００１２】
上記表示制御装置では、前記候補キー選択部は、前記所定の領域に含まれる仮想キーを前記候補キーとして選択する。
【発明の効果】
【００１３】
本発明に係る表示制御装置によれば、接触検知可能な表示部に表示された仮想キーを用いた情報の入力時に、誤入力を防止できるよう仮想キーの表示を制御することができる。
【発明を実施するための最良の形態】
【００１４】
以下、本発明の実施形態について、図面を参照して説明する。なお、本発明に係る表示制御装置は、以下説明する情報入力表示装置に含まれる。
【００１５】
（第１の実施形態）
図１は、第１の実施形態の情報入力表示装置を示すブロック図である。図１に示すように、第１の実施形態の情報入力表示装置は、タッチパネル１０１と、接触位置検出部１０３と、接触サイズ測定部１０５と、制御部１０７と、キー選択部１０９とを備える。なお、制御部１０７は、候補キー選択部１１１及び表示制御部１１３を有する。
【００１６】
タッチパネル１０１は、液晶パネル等の表示部と、情報入力表示装置のユーザの指やスタイラス等の外部操作手段によって接触又は押圧された領域（以下「接触領域」という。）を示す信号を外部に出力する位置入力部とが組み合わされて構成されている。
【００１７】
接触位置検出部１０３は、タッチパネル１０１から出力された信号に基づいて、タッチパネル１０１上の外部操作手段による接触位置を検出する。なお、接触位置検出部１０３は、タッチパネル１０１から送られた信号が示す接触領域の中心点を外部操作手段による接触位置として検出する。接触位置検出部１０３によって検出された接触位置を示す信号は、制御部１０７の候補キー選択部１１１に送られる。
【００１８】
接触サイズ測定部１０５は、タッチパネル１０１から出力された信号に基づいて、外部操作手段によるタッチパネル１０１上の接触領域の縦及び横の各長さを測定する。なお、接触領域の縦及び横の各長さは、タッチパネル１０１から出力された信号から作成された図２に示す格子状のデータに基づいて測定される。接触サイズ測定部１０５によって測定された接触領域の縦及び横の各長さを示す信号は、制御部１０７の表示制御部１１３に送られる。
【００１９】
制御部１０７の候補キー選択部１１１は、タッチパネル１０１に表示された仮想キー（以下、単に「キー」という。）の内、接触位置検出部１０３が検出した接触位置を中心とした円状の所定の領域に含まれるキーを候補キーとして選択する。なお、所定の領域は、円状に限らず矩形状であっても良い。また、制御部１０７の表示制御部１１３は、接触サイズ測定部１０５によって測定された接触領域の縦の長さと同じ縦方向の間隔をあけ、かつ、接触領域の横の長さと同じ横方向の間隔をあけて、候補キーを表示するようタッチパネル１０１を制御する。
【００２０】
図３及び図４は、タッチパネル１０１に表示された複数のキーの内、左上のキー付近が指で触れられた場合のタッチパネル１０１の表示例を示す図である。図３（ａ）に示すように、タッチパネル１０１に表示された複数のキーの内、左上のキー付近が指で触れられた場合、タッチパネル１０１からは斜線で表された接触領域を示す信号が接触位置検出部１０３及び接触サイズ測定部１０５に送られる。
【００２１】
接触位置検出部１０３は、図３（ａ）に黒丸で示された接触領域の中心点を接触位置として検出する。候補キー選択部１１１は、この接触位置を中心とした図３（ａ）に点線で表された円状の領域１５１に完全に含まれるキー「あ」、「い」、「か」、「き」を候補キーとして選択する。なお、候補キー選択部１１１は、少なくとも一部が領域１５１に重なるキー（キー「あ」、「い」、「う」、「か」、「き」、「く」、「さ」、「し」、「す」）を候補キーとして選択しても良い。接触サイズ測定部１０５は、図３（ｂ）に斜線で示された接触領域の縦の長さＡ及び横の長さＢを測定する。表示制御部１１３は、縦方向に長さＡと同じ間隔をあけ、かつ、横方向に長さＢと同じ間隔をあけて、４つの候補キーを表示するようタッチパネル１０１を制御する。
【００２２】
なお、図４に示した場合も、表示制御部１１３は、縦方向に接触領域の縦の長さＣと同じ間隔をあけ、かつ、横方向に接触領域の横の長さＤと同じ間隔をあけて、４つの候補キー「あ」、「い」、「か」、「き」を表示するようタッチパネル１０１を制御する。なお、本実施形態では、表示制御部１１３は、候補キーの大きさは変更せずに間隔のみを上述のようにあける。
【００２３】
キー選択部１０９は、外部操作手段によるタッチパネル１０１との接触状態から非接触状態となったとき、非接触状態となる直前に外部操作手段が接触していた候補キーを入力キーとして確定する。キー選択部１０９によって入力キーが確定されると、確定信号がキー選択部１０９から制御部１０７の表示制御部１１３に送られる。表示制御部１１３は、当該確定信号を受け取ると、上述の間隔をあけた候補キーの表示状態から間隔をあけない元の表示状態に戻すようタッチパネル１０１を制御する。
【００２４】
図５は、第１の実施形態の情報入力表示装置の動作を示すフローチャートである。図５に示すように、まず、ステップＳ１０１では、タッチパネル１０１が、外部操作手段による接触を判断し、接触があった場合は接触領域を示す信号を出力してステップＳ１０３に進む。ステップＳ１０３では、接触位置検出部１０３が、タッチパネル１０１上の外部操作手段による接触位置を検出する。次に、ステップＳ１０５では、候補キー選択部１１１が、タッチパネル１０１に表示されたキーの内、接触位置を中心とした円状の所定の領域に含まれるキーを候補キーとして選択する。
【００２５】
次に、ステップＳ１０７では、接触サイズ測定部１０５が、外部操作手段によるタッチパネル１０１上の接触領域の縦及び横の各長さを測定する。次に、ステップＳ１０９では、表示制御部１１３が、接触領域の縦の長さと同じ縦方向の間隔をあけ、かつ、接触領域の横の長さと同じ横方向の間隔をあけて、候補キーを表示するようタッチパネル１０１を制御する。次に、ステップＳ１１１では、タッチパネル１０１が、外部操作手段による接触の維持を判断し、接触状態が維持されている場合はステップＳ１０３に戻り、非接触状態のときはステップＳ１１３に進む。
【００２６】
ステップＳ１１３では、キー選択部１０９が、タッチパネル１０１が非接触状態となる直前に外部操作手段が接触していた候補キーを入力キーとして確定する。次に、ステップＳ１１５では、表示制御部１１３が、ステップＳ１０９による間隔をあけた候補キーの表示状態から間隔をあけない元の表示状態に戻すようタッチパネル１０１を制御する。
【００２７】
以上説明したように、第１の実施形態の情報入力表示装置によれば、外部操作手段によるタッチパネル１０１上の接触位置近傍の候補キーが、接触領域の縦及び横の各長さと同じ縦方向及び横方向の間隔をあけて表示される。このように、候補キー間に外部操作手段による接触領域のサイズに相当する間隔が設けられた状態で当該候補キーがタッチパネル１０１に表示されるため、外部操作手段による接触は１つの候補キーに限定される。この結果、キー選択部１０９は、情報入力表示装置のユーザが意図するキーを確実に入力キーとして選択する。したがって、高い精度で誤入力を防止できる。
【００２８】
また、本実施形態では、外部操作手段によるタッチパネル１０１上の接触位置近傍に表示された一部の仮想キーのみが候補キーとして上記形態で表示されるため、タッチパネル１０１の限られた表示領域内に上記間隔が設けられた候補キーを表示できる。
【００２９】
さらに、本実施形態では、隣り合う候補キー間の間隔が外部操作手段による接触時に決定されるため、本実施形態の情報入力表示装置のユーザが変わっても、高い精度で誤入力を防止できる最適な間隔が候補キー間に設定される。
【００３０】
（第２の実施形態）
図６は、第２の実施形態の情報入力表示装置を示すブロック図である。第２の実施形態の情報入力表示装置は、第１の実施形態の情報入力表示装置が備える構成要素に加えて、接触時間計測部２０１を備える。なお、本実施形態の表示制御部２１３は、接触時間計測部２０１から入力された信号に応じて、以下説明する動作をさらに行う。この点以外は第１の実施形態と同様であり、図６において、図１と共通する構成要素には同じ参照符号が付されている。
【００３１】
接触時間計測部２０１は、タッチパネル１０１から出力された信号に基づいて、外部操作手段によるタッチパネル１０１との連続接触時間を計測する。本実施形態の表示制御部２１３は、接触時間計測部２０１が計測した連続接触時間に応じて、候補キー選択部１１１によって選択された候補キーを拡大して表示するようタッチパネル１０１を制御する。
【００３２】
図７及び図８は、タッチパネル１０１に表示された複数のキーの内、左上のキー付近が指で触れられ続けた場合のタッチパネル１０１の表示例を示す図である。図７（ａ）及び図８（ａ）に示すように、タッチパネル１０１に指が触れて候補キーが表示された直後の各候補キーの大きさは、縦の長さがＸ１、横の長さがＹ１の矩形である。その後、指がタッチパネル１０１の同位置に触れられ続けると、表示制御部２１３は、図７（ｂ）（ｃ）及び図８（ｂ）（ｃ）に示すように、連続接触時間に比例して、縦横比を維持したまま各候補キーを拡大して表示するようタッチパネル１０１を制御する。なお、各候補キーを拡大表示する際の最大値を設定しても良い。
【００３３】
図９は、第２の実施形態の情報入力表示装置の動作を示すフローチャートである。図９に示すように、第２の実施形態では、図５に示したフローチャート中のステップＳ１０１とステップＳ１０３の間で、ステップＳ２０１が行われる。ステップＳ２０１では、接触時間計測部２０１が、外部操作手段による連続接触時間の計測を開始する。
【００３４】
また、本実施形態では、図９に示すように、図５に示したフローチャート中のステップＳ１０９の代わりにステップＳ２０９が行われる。ステップＳ２０９では、表示制御部２１３が、接触領域の縦の長さと同じ縦方向の間隔をあけ、かつ、接触領域の横の長さと同じ横方向の間隔をあけて、連続接触時間に応じた大きさの候補キーを表示するようタッチパネル１０１を制御する。上記ステップＳ２０１，Ｓ２０９以外は図５に示した第１の実施形態の処理と同様である。
【００３５】
以上説明したように、第２の実施形態の情報入力表示装置によれば、外部操作手段によるタッチパネル１０１との連続接触時間が長くなるに従って、タッチパネル１０１には候補キーが拡大表示される。このため、情報入力表示装置のユーザは、意図するキーを確実に選択することができる。したがって、より高い精度で誤入力を防止できる。
【００３６】
（第３の実施形態）
図１０は、第３の実施形態の情報入力表示装置を示すブロック図である。第３の実施形態の情報入力表示装置は、第１の実施形態の情報入力表示装置が備える構成要素に加えて、メモリ３０１を備える。メモリ３０１には、外部操作手段によるタッチパネル１０１との接触時間にわたり、接触サイズ測定部１０５によって測定された接触領域の縦及び横の各長さのデータが格納される。
【００３７】
本実施形態の表示制御部３１３は、メモリ３０１に格納された接触領域の縦の長さの最大値と同じ縦方向の間隔をあけ、かつ、メモリ３０１に格納された接触領域の横の長さの最大値と同じ横方向の間隔をあけて、候補キーを表示するようタッチパネル１０１を制御する。この点以外は第１の実施形態と同様であり、図１０において、図１と共通する構成要素には同じ参照符号が付されている。
【００３８】
第３の実施形態の情報入力表示装置によれば、接触領域の大きさに変化があっても、接触中はその縦横の最大値に応じた間隔で各候補キーがタッチパネルに表示される。したがって、情報入力表示装置のユーザは、タッチパネル１０１に対する外部操作手段による接触の強弱が発生するような状況であっても、意図するキーを確実に選択することができる。したがって、より高い精度で誤入力を防止できる。
【００３９】
（第４の実施形態）
図１１は、第４の実施形態の情報入力表示装置を示すブロック図である。第４の実施形態の情報入力表示装置は、第１の実施形態の情報入力表示装置が備える構成要素に加えて、メモリ４０１を備える。メモリ４０１には、外部操作手段によるタッチパネル１０１との接触時間にわたり、接触位置検出部１０３によって検出された接触位置のデータ、及び接触サイズ測定部１０５によって測定された接触領域の縦及び横の各長さのデータが格納される。
【００４０】
本実施形態の表示制御部４１３は、図１２に示すように、メモリ４０１に格納された接触位置及び接触領域に基づいて合成接触領域を生成し、当該合成接触領域の縦の長さと同じ縦方向の間隔をあけ、かつ、合成接触領域の横の長さと同じ横方向の間隔をあけて、候補キーを表示するようタッチパネル１０１を制御する。
【００４１】
第４の実施形態の情報入力表示装置によれば、タッチパネル１０１に対する外部操作手段による接触のブレがあると、当該ブレの大きさに応じた間隔で各候補キーがタッチパネルに表示される。したがって、情報入力表示装置のユーザは、ブレが発生するような状況であっても、意図するキーを確実に選択することができる。したがって、より高い精度で誤入力を防止できる。
【産業上の利用可能性】
【００４２】
本発明に係る表示制御装置は、接触検知可能な表示部に表示された仮想キーを用いた情報の入力時に、誤入力を防止できるよう仮想キーの表示を制御する制御装置等として有用である。
【図面の簡単な説明】
【００４３】
【図１】第１の実施形態の情報入力表示装置を示すブロック図
【図２】接触サイズ測定部１０５によって測定される接触領域の縦横の各長さの一例を示す図
【図３】タッチパネル１０１に表示された複数のキーの内、左上のキー付近が指で触れられた場合のタッチパネル１０１の表示例を示す図
【図４】タッチパネル１０１に表示された複数のキーの内、左上のキー付近が指で触れられた場合のタッチパネル１０１の表示例を示す図
【図５】第１の実施形態の情報入力表示装置の動作を示すフローチャート
【図６】第２の実施形態の情報入力表示装置を示すブロック図
【図７】タッチパネル１０１に表示された複数のキーの内、左上のキー付近が指で触れられ続けた場合のタッチパネル１０１の表示例を示す図
【図８】タッチパネル１０１に表示された複数のキーの内、左上のキー付近が指で触れられ続けた場合のタッチパネル１０１の表示例を示す図
【図９】第２の実施形態の情報入力表示装置の動作を示すフローチャート
【図１０】第３の実施形態の情報入力表示装置を示すブロック図
【図１１】第４の実施形態の情報入力表示装置を示すブロック図
【図１２】メモリ４０１に格納された接触位置及び接触領域に基づいて生成される合成接触領域を示す図
【図１３】特許文献１に記載の表示制御装置による、表示装置に表示するボタンの配置変更例を示す図
【図１４】特許文献２に記載の情報端末装置による、タッチパネルに表示するキーとその拡大表示例を示す図
【符号の説明】
【００４４】
１０１  タッチパネル
１０３  接触位置検出部
１０５  接触サイズ測定部
１０７，２０７，３０７，４０７  制御部
１０９  キー選択部
１１１  候補キー選択部
１１３，２１３，３１３，４１３  表示制御部
２０１  接触時間計測部
３０１，４０１  メモリ
【図１】
2010186254.tif 000003
【図２】
2010186254.tif 000004
【図３】
2010186254.tif 000005
【図４】
2010186254.tif 000006
【図５】
2010186254.tif 000007
【図６】
2010186254.tif 000008
【図７】
2010186254.tif 000009
【図８】
2010186254.tif 000010
【図９】
2010186254.tif 000011
【図１０】
2010186254.tif 000012
【図１１】
2010186254.tif 000013
【図１２】
2010186254.tif 000014
【図１３】
2010186254.tif 000015
【図１４】
2010186254.tif 000016